(57)【要約】【課題】  セイキュリティ性の向上を図り得るワイヤレスドアホン装置を提供すること。【解決手段】  訪問者が宅外の操作ボタンを操作したときにはＣＣＤカメラが遠隔操作可能に有効化され、携帯電話Ｅが呼出される。この状態で携帯電話Ｅが操作されたときにはＣＣＤカメラが訪問者を撮像し、ＣＣＤカメラの撮像結果がメモリに格納される。このため、撮像結果を携帯電話Ｅに転送することで外出者が外出先で訪問者の顔を識別することができるので、セキュリティ性が向上する。【選択図】  図２
2005204142.tif 000002
【特許請求の範囲】
【請求項１】
訪問者が在宅者を呼出すために操作する操作手段と、
前記操作手段が操作されたことを条件に携帯形の特定端末を無線電話網を介して呼出す呼出し端末と、
訪問者を撮像する撮像手段と、
前記撮像手段の撮像結果を記録手段に格納する格納手段とを備え、
前記撮像手段は、前記操作手段が操作されることに基いて有効化されることを特徴とするワイヤレスドアホン装置。
【請求項２】
前記撮像手段を駆動制御する撮像制御手段を備え、
前記撮像制御手段は、前記呼出し端末が前記特定端末からの撮像指令信号を受信することに基いて前記撮像手段を駆動することを特徴とする請求項１記載のワイヤレスドアホン装置。
【請求項３】
前記呼出し端末は、前記特定端末からの転送要求信号を受信することに基いて前記記録手段に格納されている撮像結果を前記特定端末に転送することを特徴とする請求項１〜２のいずれかに記載のワイヤレスドアホン装置。
【請求項４】
訪問者に応対音を発するスピーカと、
前記呼出し端末が前記特定端末からの応対指令信号を受信することに基いて前記スピーカから応対音を発生させる音制御手段と
を備えことを特徴とする請求項１〜３のいずれかに記載のワイヤレスドアホン装置。
【請求項５】
前記格納手段は、
前記記録手段に前記撮像手段の撮像結果を時系列的に格納し、前記記録手段の格納容量が上限に到達しているときには最古の撮像結果を消去して新たな撮像結果を格納することを特徴とする請求項１〜４のいずれかに記載のワイヤレスドアホン装置。
【請求項６】
訪問者の有無を検出する訪問者検出手段を備え、
前記呼出し端末は、前記訪問者検出手段が訪問者を上限時間を越えて検出しているにも拘らず前記操作手段が操作されないときには前記特定端末を呼出すことを特徴とする請求項１〜５のいずれかに記載のワイアレスドアホン装置。
【請求項７】
携帯端末の呼出符号を手動操作で入力することに基いて携帯端末を前記特定端末として登録する登録手段を備え、
前記登録手段は、認識不能または操作不能に隠されていることを特徴とする請求項１〜６のいずれかに記載のワイヤレスドアホン装置。
【請求項８】
前記呼出し端末は、前記特定端末からの呼出しだけに応答することを特徴とする請求項１〜７のいずれかに記載のワイヤレスドアホン装置。
【請求項９】
前記呼出し端末が前記特定端末からの呼出しに応答して受信した受信信号に応じて動作モードを選択するモード選択手段を備えたことを特徴とする請求項８記載のワイヤレスドアホン装置。
【請求項１０】
前記撮像手段の撮像用窓部に比べて視覚的な認識性が高い装飾用窓部を備えたことを特徴とする請求項１〜９のいずれかに記載のワイヤレスドアホン装置。
【請求項１１】
前記呼出し端末は、電気的および機械的に単一化された無線電話モジュールから構成されていることを特徴とする請求項１〜１０のいずれかに記載のワイヤレスドアホン装置。
【請求項１２】
前記無線電話モジュールの機械的な装着状態を検出する検出手段と、
前記検出手段の検出結果に基いて異常の有無を識別する識別手段とを備え、
前記識別手段が異常有りを識別することに基いて異常報知が行われることを特徴とする請求項１〜１１のいずれかに記載のワイレスドアホン装置。
【発明の詳細な説明】
【技術分野】
【０００１】
本発明は、宅外から宅内の居住者を無線で呼出すワイヤレスドアホン装置に関する。
【背景技術】
【０００２】
上記ワイヤレスドアホン装置には、宅外の呼出しスイッチが操作されることに基いて宅外の呼出し端末から無線電話網を通して宅外の携帯電話に呼出しをかける構成のものがある。
【特許文献１】特開平９−１６３０００号公報
【特許文献２】特開２００２−１５２３９６号公報
【発明の開示】
【発明が解決しようとする課題】
【０００３】
上記従来構成の場合、外出者が外出先で訪問者の呼出しに応えることができるので、訪問した不審者に在宅者の不在を悟られる虞れがなくなる。しかしながら、訪問者と無線電話網を通して対話を行うことしかできないので、訪問者が不審者であることを認識することができない。
【課題を解決するための手段】
【０００４】
請求項１〜１２に係る各発明は不審者の訪問を認識可能にすることでセキュリティの改善を図ることを共通の課題とするものであり、共通の課題解決手段は請求項１に記載した通りである。以下、主な請求項に係る発明を用語の意義と共に説明する。
＜請求項１に係る発明の説明＞
請求項１に係る発明は呼出し端末側に訪問者の顔を撮像する撮像手段を設けたものである。この撮像手段は操作手段が呼出し操作されたことを条件に有効化されるものであり、撮像手段の撮像結果は訪問の履歴としてメモリに格納される。
１）操作手段：訪問者が在宅者を呼出すために操作するものである。この操作手段は直接操作形の機械式スイッチに限定解釈されるものではなく、非接触で操作される近接スイッチをも含む用語である。
２）呼出し端末：操作手段の操作に呼応して携帯形の特定端末を無線電話網を介して呼出す無線電話機能を有するものである。この特定端末とは外出者が保有する携帯端末であり、呼出し端末側に登録された携帯端末を称する。
３）撮像手段：訪問者を静止画または動画で撮像するものである。この撮像手段は操作手段が呼出し操作されたことを条件に撮像可能に有効化されるものであり、訪問者の撮像動作は撮像手段の有効状態で特定端末から呼出し端末に撮像指令信号を送信することで実行しても良く（請求項２に係る発明）、操作手段の呼出し操作を条件に自動的に実行しても良い。
４）格納手段：撮像手段の撮像結果を記録手段に格納するものであり、撮像結果の格納は時系列的に行うことが好ましい。ここで時系列的とは格納データに時間的順序を付与することであり、例えば撮像結果に撮像順序を付与すること・撮像結果に時刻を付与することが時系列的な格納に該当する。この撮像結果の格納データは訪問者の撮像に連動して呼出し端末から特定端末に自動的に転送しても良く、特定端末から呼出し端末に転送要求信号を送信することで呼出し端末から特定端末に遠隔操作で転送しても良い（請求項３に係る発明）。この転送対象となる格納データは最新の格納データに固定する構成としても良く、特定端末が遠隔操作で呼出し端末に指定する構成としても良い。
＜請求項４に係る発明の説明＞
請求項４に係る発明は特定端末から呼出し端末に応対指令信号を送信することで呼出し端末側のスピーカから応対音を発生させるものである。この応対音とは予め記録された音データに基いて発せられるものであり、具体的には「お帰り下さい」・「取込み中です」・「手が離せません」等を応対音として発生させることで在宅者の不在を悟られないようにすることが好ましい。
＜請求項６に係る発明の説明＞
請求項６に係る発明は訪問者が呼出しを行わずに止まっているときには不審者であると判定し、特定端末を操作手段の操作無しで呼出すものである。
＜請求項７に係る発明の説明＞
請求項７に係る発明は登録手段を認識不能または操作不能に隠すものであり、登録手段を認識不能および操作不能に隠すことの一例にはケースの前面以外の部分に配置することがある。この登録手段とは携帯端末の呼出符号を手動操作で入力することに基いて携帯端末を特定端末として登録するものであり、呼出符号とは電話番号等の数字の組合せ・メールアドレス等の数字および記号の組合せに代表される特定端末を呼出すための識別子を総称するものである。
＜請求項８に係る発明の説明＞
請求項８に係る発明は呼出し端末が特定端末からの呼出しだけに応答する構成とするものである。この特定端末以外の端末からの呼出しは中継基地局で遮断しても良く、呼出し端末で遮断しても良い。
＜請求項９に係る発明の説明＞
請求項９に係る発明は呼出し端末に動作モードの選択機能を付与したものである。この動作モードの選択は特定端末を用いた遠隔操作で行われるものであり、宅内のチャイムを用いて在宅者を呼出す在宅モードおよび特定端末を用いて外出者を呼出す外出モードは動作モードの一例である。
＜請求項１０に係る発明の説明＞
請求項１０に係る発明は装飾用窓部を設けたものであり、装飾用窓部とは撮像手段に光学的に接続されていないダミー窓部を称する。この装飾用窓部は撮像手段に光学的に接続された撮像用窓部に比べて視覚的な認識性が高いことが要件であり、装飾用窓部の一例としては撮像用窓部に比べて輪郭形状が大きなダミー窓部がある。
＜請求項１２に係る発明の説明＞
請求項１２に係る発明は無線電話モジュールの機械的な装着状態に基いて異常の有無を識別し、無線電話モジュールの機械的な装着状態が異常であるときには異常報知を行うものである。この無線電話モジュールとは電気的および機械的に単一化された呼出し端末を称するものであり（請求項１１に係る発明）、異常報知の態様には特定端末を呼出して無線電話モジュールの取外しを報知する態様・宅内のチャイムを用いて無線電話モジュールの取外しを報知する態様・宅外のスピーカを用いて無線電話モジュールの取外しを報知する態様等が含まれる。
【発明の効果】
【０００５】
訪問者が在宅者を呼出すことに基いて撮像手段を有効化し、撮像手段が訪問者を撮像したときには撮像結果を記録手段に格納している。このため、外出者が帰宅時に撮像結果の格納データを確認することで訪問者の顔を識別したり、撮像結果を特定端末に転送することで外出者が外出先で訪問者の顔を識別することができるので、セキュリティ性が向上する。
【発明を実施するための最良の形態】
【０００６】
操作手段が操作されたときには撮像手段を遠隔操作可能に有効化し、呼出し端末から無線電話網を通して特定端末に呼出しをかける。この撮像手段の有効状態で外出者が特定端末を操作したときには特定端末から呼出し端末に無線電話網を通して撮像指令信号を送信することで訪問者を撮像し、訪問者の撮像結果を記録手段に格納する。そして、外出者が特定端末を操作したときには特定端末から呼出し端末に無線電話網を通して転送要求信号を送信し、撮像結果を呼出し端末から特定端末に転送する。以下、当該形態の具体例を図面に基いて説明する。
＜実施例１＞
家屋Ａの壁面には、図１に示すように、玄関ドアＢの外周部に位置して凹部Ｃが形成されており、凹部Ｃ内にはドアホンケース１が着脱可能に装着されている。このドアホンケース１は前ケース２および後ケース３を接合することから構成されたものであり、前ケース２は全てが凹部Ｃ内から突出し、後ケース３は後面が凹部Ｃの底面に対して離間している。このドアホンケース１内には自己復帰形のプッシュスイッチからなる呼出しスイッチ４（図６参照）が収納されている。この呼出しスイッチ４の操作ボタン５は訪問者が在宅者を呼出す目的で操作する操作手段に相当するものであり、図３に示すように、前ケース２に前方から操作可能に装着されている。
【０００７】
ドアホンケース１内にはスピーカ６（図６参照）が収納されており、前ケース２には、図３に示すように、スピーカ６の前方に位置して網目状のスピーカカバー７が固定されている。このスピーカ６は訪問者にスピーカカバー７を通して音声を発する鳴動手段に相当するものであり、呼出しスイッチ４の操作を条件に鳴動可能に有効化される。また、ドアホンケース１内にはマイクロホン８（図６参照）が収納されており、前ケース２には、図３に示すように、マイクロホン８の前方に位置して網目状のマイクカバー９が固定されている。このマイクロホン８は訪問者が発する音声を集める集音手段に相当するものであり、呼出しスイッチ４の操作を条件に集音可能に有効化される。
【０００８】
ドアホンケース１内には２次元のＣＣＤカメラ１０（図６参照）が収納されており、ＣＣＤカメラ１０のカメラレンズ１１は、図３に示すように、前ケース２に固定されている。このＣＣＤカメラ１０は訪問者の顔をカメラレンズ１１を通して静止画像で撮像する撮像手段に相当するものであり、呼出しスイッチ４の操作を条件に撮像可能に有効化される。また、前ケース２にはダミーレンズ１２が固定されている。このダミーレンズ１２はカメラレンズ１１に比べて直径寸法が大きなものであり、カメラレンズ１１の存在を視覚的に目立ち難くするカモフラージュの目的で装着されている。尚、カメラレンズ１１およびダミーレンズ１２は撮像用窓部および装飾用窓部に相当するものである。
【０００９】
ドアホンケース１内にはランプ１３（図６参照）が収納されており、ランプ１３のランプレンズ１４は、図３に示すように、前ケース２に固定されている。このランプ１３は訪問者の顔をランプレンズ１４を通して照明する照明手段に相当するものであり、照度センサ１５（図６参照）を有している。この照度センサ１５はカメラレンズ１１の視野内の照度に応じたレベルの照度信号を出力するものであり、ランプ１３は照度センサ１５の検出照度が基準レベルに比べて暗いことを条件にＣＣＤカメラ１０の撮像タイミングに同期して発光する。
【００１０】
ドアホンケース１内には、図６に示すように、ドアホン制御装置１６が収納されている。このドアホン制御装置１６はマイクロコンピュータを主体に構成されたものであり、ＣＰＵ１７・ＲＯＭ１８・ＲＡＭ１９・Ｉ／Ｏ２０を有している。このドアホン制御装置１６には呼出しスイッチ４が電気的に接続されており、ドアホン制御装置１６は呼出しスイッチ４の状態変化に基いて在宅者の呼出しを検出する。尚、ＣＰＵ１７はモード選択手段および識別手段に相当するものである。
【００１１】
ドアホン制御装置１６には照度センサ１５が電気的に接続されており、ドアホン制御装置１６は照度センサ１５からの照度信号を検出し、基準レベルと比較する。このドアホン制御装置１６にはランプ駆動回路２１を介してランプ１３が電気的に接続されている。このランプ駆動回路２１はドアホンケース１内に収納されたものであり、ドアホン制御装置１６はランプ１３をランプ駆動回路２１を通して発光制御する。
【００１２】
ドアホン制御装置１６には人感センサ２２が電気的に接続されている。この人感センサ２２は検出エリア内の物体の有無に応じた電気信号を出力する赤外線センサから構成されたものであり、ドアホンケース１内に収納されている。この人感センサ２２の検出エリアはドアホンケース１の前方に設定されており、ドアホン制御装置１６は人感センサ２２からの出力信号に基いてドアホンケース１の前方に人が存在するか否かを識別する。尚、人感センサ２２は訪問者検出手段に相当するものである。
【００１３】
前ケース２の下面には、図４に示すように、下面が開口する凹状のカード挿入口２３が形成されている。このカード挿入口２３内の底面にはコネクタ２４（図６参照）が固定されており、コネクタ２４は、図６に示すように、スピーカ６・マイクロホン８・ＣＣＤカメラ１０・ドアホン制御装置１６にドアホンケース１の内部で電気的に接続されている。
カード挿入口２３内には、図５に示すように、カード状の無線電話モジュール２５が着脱可能に挿入されている。この電話モジュール２５はコネクタ２６を有するものであり、電話モジュール２５のコネクタ２６はカード挿入口２３内のコネクタ２４に電気的および機械的に着脱可能に嵌合されている。この電話モジュール２５は、図７に示すように、通信制御装置２７・音声処理回路２８・スピーカ駆動回路２９・画像処理回路３０・カメラ駆動回路３１・送信回路３２・受信回路３３・アンテナ３４を有するものであり、通信制御装置２７〜アンテナ３４はプリント配線基板の配線パターンを介して相互接続されることに基いて電気的に単一化され、カード状にパッケージ化されることに基いて機械的に単一化されている。尚、無線電話モジュール２５は呼出し端末に相当するものである。
【００１４】
通信制御装置２７はマイクロコンピュータを主体に構成されたものであり、ＣＰＵ３５・ＲＯＭ３６・ＲＡＭ３７・Ｉ／Ｏ３８を有している。この通信制御装置２７はドアホン制御装置１６に双方向通信可能に接続されており、ドアホン制御装置１６および通信制御装置２７は相手側からコマンドが与えられることに基いてコマンドに応じた内容の動作を実行する。尚、通信制御装置２７のＣＰＵ３５は格納手段と撮像制御手段と音制御手段に相当するものであり、ＲＡＭ３７は記録手段に相当するものである。
【００１５】
音声処理回路２８はマイクロホン８が集音した音声を増幅し、音声の増幅結果をデジタル信号に変換して通信制御装置２７に出力するものであり、通信制御装置２７は音声処理回路２８からのデジタル信号に基づいてマイクロホン８の集音内容を認識する。
カメラ駆動回路３１はＣＣＤカメラ１０のシャッターを開閉するものであり、通信制御装置２７はＣＣＤカメラ１０のシャッターをカメラ駆動回路３１を通して開閉制御することに基いて被写体を撮像する。画像処理回路３０はＣＣＤカメラ１０からの撮像データを画像処理することに基いて画像データを生成するものであり、通信制御装置２７は画像処理回路３０からの画像データをＲＡＭ３７に時系列的な順序で格納する。
【００１６】
送信回路３２はアンテナ３４から携帯電話用の周波数帯域の電波を送信するものであり、通信制御装置２７は送信回路３２を駆動制御することに基いて集音内容の認識結果および画像データの格納結果をアンテナ３４から電波信号として送信する。このアンテナ３４は電話モジュール２５のプリント配線基板に形成された導電パターンからなるものであり、アンテナ３４から送信された電波信号は携帯電話網の中継基地局Ｄ（図２参照）を通して携帯電話Ｅに送信される。この携帯電話Ｅの電話番号はドアホン制御装置１６が通信制御装置２７に指定するものであり、通信制御装置２７はドアホン制御装置１６が指定する特定の携帯電話Ｅのみを通信対象とする。尚、特定の携帯端末Ｅは特定端末に相当するものである。
【００１７】
受信回路３３はアンテナ３４が受信した中継基地局Ｄからの携帯電話用の電波信号を波形整形して通信制御装置２７に出力するものであり、通信制御装置２７は受信回路３３からの受信信号に基いてアンテナ３４の受信内容を認識する。スピーカ駆動回路２９はスピーカ６の駆動信号を生成するものであり、通信制御装置２７は受信内容の認識結果に基いてスピーカ駆動回路２９を駆動制御することでスピーカ６から受信内容の認識結果に応じた音声を出力する。即ち、電話モジュール２５はワイヤレスドアホン装置に双方向無線通信機能を付与する中枢電子機器に相当するものであり、ワイヤレスドアホン装置は電話モジュール２５の装着状態では音声および画像の双方を携帯電話網を介して通信可能な固定形の無線電話機として機能する。
【００１８】
ドアホンケース１にはカード挿入口２３内に位置してカードスイッチ３９（図６参照）が装着されている。このカードスイッチ３９は電話モジュール２５の完全嵌合状態および不完全嵌合状態で電気的に変化する機械式スイッチからなるものであり、電話モジュール２５の完全嵌合状態とは電話モジュール２５のコネクタ２６がカード挿入口２３内のコネクタ２４に機械的に十分に嵌合された電気的接続状態を称し、電話モジュール２５の不完全嵌合状態とは電話モジュール２５のコネクタ２６がカード挿入口２３内のコネクタ２４に機械的に不十分に嵌合された電気的接続状態を称する。このカードスイッチ３９は、図６に示すように、ドアホン制御装置１６に電気的に接続されており、ドアホン制御装置１６はカードスイッチ３９の状態を監視することに基いて電話モジュール２５の着脱を検出する。即ち、電話モジュール２５が取外されようとしているときには取外し途中でカードスイッチ３９の状態が変化し、電話モジュール２５の不正な取外しが取外し前に事前検出される。尚、カードスイッチ３９は検出手段に相当するものである。
【００１９】
ドアホンケース１内にはケーススイッチ４０（図６参照）が装着されており、ケーススイッチ４０はドアホン制御装置１６に電気的に接続されている。このケーススイッチ４０は前ケース２および後ケース３間の完全接合状態および不完全接合状態で電気的に変化する機械式スイッチからなるものであり、ドアホン制御装置１６はケーススイッチ４０の状態を監視することに基いてドアホンケース１の開閉を検出する。即ち、ドアホンケース１が開放されようとしているときには開放途中でケーススイッチ４０の状態が変化し、ドアホンケース１の不正な開放が開放前に事前検出される。
【００２０】
後ケース３の後面には、図３の（ｂ）に示すように、登録手段に相当する複数の電話番号入力スイッチ４１が装着されており、複数の電話番号入力スイッチ４１は、図６に示すように、ドアホン制御装置１６に電気的に接続されている。これら電話番号入力スイッチ４１はドアホンケース１の設置状態で凹部Ｃ内に収納されることに基いて認識不能および操作不能に隠されるものであり、ドアホン制御装置１６は電話番号入力スイッチ４１の操作内容に応じて呼出符号に相当する電話番号を設定し、電話番号の設定結果を通信制御装置２７に送信する。すると、通信制御装置２７のＣＰＵ３５は電話番号の設定結果をＲＡＭ３７の電話番号エリアに格納し、電話番号を登録する。
【００２１】
前ケース２の下面には、図４に示すように、下面が開口する凹状のケーブル接続口４２が形成されている。このケーブル接続口４２内の底面にはコネクタ４３（図６参照）が固定されており、コネクタ４３は、図６に示すように、ドアホン制御装置１６にドアホンケース１の内部で電気的に接続されている。このケーブル接続口４２は、図５に示すように、ケーブル４４の一方のコネクタ４５が着脱可能に挿入されるものであり、一方のコネクタ４５はケーブル接続口４２内に挿入されることに基いてケーブル接続口４２内のコネクタ４３に機械的および電気的に接続される。このケーブル４４の他方のコネクタ４５は携帯電話Ｅのコネクタに機械的および電気的に接続されるものであり、ドアホン制御装置１６はケーブル４４を介して携帯電話Ｅに直接的に接続可能にされている。この携帯電話Ｅの接続状態で携帯電話Ｅのダイアルキーが特殊操作されたときには携帯電話Ｅから自身の電話番号がドアホン制御装置１６に送信され、ドアホン制御装置１６が携帯電話Ｅからの電話番号を通信制御装置２７に送信する。すると、通信制御装置２７のＣＰＵ３５は電話番号の送信結果をＲＡＭ３７の電話番号エリアに格納し、電話番号を登録する。
【００２２】
即ち、電話番号は使用者がドアホンケース１の非設置状態で電話番号入力スイッチ４１を操作することに基いて登録したり、使用者が自らの携帯電話Ｅをドアホン制御装置１６にケーブル４４で接続することに基いて登録するものであり、通信制御装置２７はドアホン制御装置１６からのコマンドを検出したときには電話番号エリアから電話番号を検出し、電話番号の検出結果だけを呼出す。
【００２３】
家屋Ａの居室内には、図２に示すように、チャイム４６が固定されている。このチャイム４６は商用交流電源を直流電源に変換する電源回路を内蔵するものであり、ワイヤレスドアホン装置にはチャイム４６の電源回路から電源ケーブルを通して直流の駆動電源が与えられる。このチャイム４６は、図６に示すように、ドアホン制御装置１６に電気的に接続されており、ドアホン制御装置１６は在宅者の存在時には呼出しスイッチ４の操作を検出することに基いてチャイム４６を鳴動させ、在宅者に訪問者の到来を報知する。この在宅者の有無は携帯電話Ｅから通信制御装置２７を通してドアホン制御装置１６に通知するものであり、ドアホン制御装置１６は在宅者の不在時には呼出しスイッチ４の操作を検出することに基いて通信制御装置２７にコマンドを送信し、携帯電話Ｅの呼出しを通信制御装置２７に指令する。
【００２４】
前ケース２の下面には、図４に示すように、アンテナ４７が固定されている。このアンテナ４７には、図６に示すように、受信回路４８が電気的に接続されており、受信回路４８はリードスイッチ４９を介してスピーカ６に電気的に接続されている。また、マイク８はリードスイッチ５０を介して送信回路５１に電気的に接続されており、送信回路５１はアンテナ４７に電気的に接続されている。これら受信回路４８・リードスイッチ４９・リードスイッチ５０・送信回路５１はドアホンケース１内に収納されたものであり、ドアホン制御装置１６は在宅者の存在時にはチャイム４６の鳴動後にリードスイッチ４９のコイルおよびリードスイッチ５０のコイルに電源を印加することに基いてリードスイッチ４９の接点およびリードスイッチ５０の接点を閉成し、スピーカ６およびマイク８を受信回路４８および送信回路５１に接続する。
【００２５】
家屋Ａの居室内には、図２に示すように、室内機５２が設置されている。この室内機５２は携帯電話Ｅとは異なる周波数帯域で音声を送受信するトランシーバからなるものであり、スピーカ６およびマイク８が受信回路４８および送信回路５１に接続された状態では室内機５２から無線送信された音声がアンテナ４７により受信され、受信回路４８からスピーカ６を通して出力される。これと共にアンテナ４７から無線送信された音声が室内機５２で受信され、室内機５２から出力される。即ち、在宅者の存在時には室内機５２が有効化され、在宅者が室内機５２を介して訪問者と直接通話することが可能になる。
【００２６】
家屋Ａの居室内には室内機５２の近傍に位置して通話停止スイッチ５３（図６参照）が装着されている。この通話停止スイッチ５３は、図６に示すように、ケーブルを介してドアホン制御装置１６に電気的に接続されており、ドアホン制御装置１６は室内機５２の有効状態で通話停止スイッチ５３の操作を検出することに基いてリードスイッチ４９のコイルおよびリードスイッチ５０のコイルをオフする。即ち、在宅者が訪問者との直接通話を終えて通話停止スイッチ５３を操作したときにはスピーカ６およびマイク８が受信回路４８および送信回路５１から電気的に遮断され、室内機５２が無効化される。
【００２７】
後ケース３には後面が開口する凹状の電池収納部（図示せず）が形成されている。この電池収納部の開口部には、図３の（ｂ）に示すように、カバー５４が着脱可能に装着されており、電池収納部はカバー５４を脱着することに基いて開閉される。この電池収納部内には一次電池からなる予備電源が収納されており、商用交流電源が停電等に起因して遮断されたときには電池収納部内の予備電池からワイヤレスドアホン装置に駆動電源が供給される。
【００２８】
ドアホン制御装置１６のＲＯＭ１８および通信制御装置２７のＲＯＭ３６にはドアホン制御プログラムおよび通信制御プログラムが記録されており、ドアホン制御装置１６のＣＰＵ１７および通信制御装置２７のＣＰＵ３５はドアホン制御プログラムおよび通信制御プログラムに基いて全ての処理動作を実行する。
ドアホン制御プログラムは、図８に示すように、盗難検出処理と客待ち処理と呼出し処理と間接通話処理と直接通話処理を有するものであり、客待ち処理〜盗難検出処理はドアホンフラグの設定状態に基いて選択的に実行され、盗難検出処理はドアホンフラグの設定状態に拘らずドアホン制御プログラムのループ毎に実行される。このドアホンフラグは客待ち処理に初期設定されるものであり、電源投入直後には盗難検出処理に続けて客待ち処理が実行される。以下、盗難検出処理〜直接通話処理について説明する。
１．盗難検出処理
ドアホン制御装置１６のＣＰＵ１７は図９のステップＳ０１で電話モジュール２５の抜取りの有無を判断する。この判断はカードスイッチ３９からの出力信号に基いて行われるものであり、ＣＰＵ１７はステップＳ０１で電話モジュール２５の抜取りを検出したときにはステップＳ０３で通信制御装置２７に異常コマンドを送信する。
【００２９】
ＣＰＵ１７はステップＳ０２でドアホンケース１の開放の有無を判断する。この判断はケーススイッチ４０からの出力信号に基いて行われるものであり、ＣＰＵ１７はステップＳ０２でドアホンケース１の開放を検出したときにはステップＳ０３で通信制御装置２７に異常コマンドを送信する。
図１４は通信制御装置２７のＲＯＭ３６に予め記録された異常コマンド処理を示すフローチャートであり、通信制御装置２７のＣＰＵ３５はドアホン制御装置１６からの異常コマンドを検出したときにはステップＳ１０１でＲＯＭ３６から異常音データを検出する。そして、スピーカ６を異常音データに基いて駆動することでスピーカ６から異常音「盗難です」を発する。即ち、電話モジュール２５がカード挿入口２３から抜取られようとしているとき・ドアホンケース１が開放されようとしているときにはスピーカ６から異常音が発せられ、近隣の人に異常の発生が報知される。
【００３０】
ＣＰＵ３５はステップＳ１０１で異常音を発生させると、ステップＳ１０２で携帯電話Ｅの接続状態を検出する。例えば携帯電話Ｅが接続されていないときにはステップＳ１０３で電話番号エリアから電話番号の登録結果を検出し、電話番号の検出結果に応じた携帯電話Ｅを携帯電話網を通して呼出す。そして、携帯電話Ｅが接続されたときにはステップＳ１０４へ移行し、携帯電話Ｅに異常音データを電波信号として送信することで携帯電話Ｅから異常音「盗難です」を発する。また、ステップＳ１０２で携帯電話Ｅが接続されていることを検出したときにはステップＳ１０４へ移行し、登録された携帯電話Ｅに異常音データを送信することで携帯電話Ｅから異常音「盗難です」を発する。即ち、電話モジュール２５がカード挿入口２３から抜取られようとしているとき・ドアホンケース１が開放されようとしているときには外出者に携帯電話Ｅを通して異常音が発せられる。
２．客待ち処理
ドアホン制御装置１６のＣＰＵ１７はドアホンフラグが客待ち処理にセットされていることを検出すると、図１０のステップＳ１１で人感センサ２２からの出力信号に基いて訪問者の有無を判断する。ここで人感センサ２２からのオン信号を検出したときにはドアホンケース１の前方に訪問者が到来したと判定し、ステップＳ１２でタイマに限度時間（具体的には１０秒）をセットする。そして、ステップＳ１３へ移行し、ドアホンフラグに呼出し処理をセットする。
３．呼出し処理
ドアホン制御装置１６のＣＰＵ１７はドアホンフラグが呼出し処理にセットされていることを検出すると、図１１のステップＳ２１で人感センサ２２からの出力信号に基いて訪問者の有無を判断する。例えば訪問者がドアホンケース１の前方から立去ったときには人感センサ２２がオフされるので、ＣＰＵ１７はステップＳ２２でタイマを「０」にリセットし、ステップＳ２３でドアホンフラグを客待ち処理にリセットする。また、訪問者がドアホンケース１の前方に立止まったままのときには人感センサ２２がオンされるので、ＣＰＵ１７はステップＳ２１からＳ２４へ移行する。
【００３１】
ＣＰＵ１７はステップＳ２４へ移行すると、タイマを減算することに基いて残り限度時間を更新する。そして、ステップＳ２５でタイマの減算結果を「０」と比較し、「タイマ≦０」を検出したときにはステップＳ２６で在宅モードおよび外出モードのいずれが設定されているかを判断する。これら在宅モードおよび外出モードは通信制御装置２７が携帯電話Ｅからの電波信号をドアホン制御装置１６に転送することに基いてドアホン制御装置１６が設定するものであり、在宅モードおよび外出モードの設定処理の詳細は次の通りである。
【００３２】
通信制御装置２７のＣＰＵ３５は図１５のステップＳ１１１で中継基地局Ｄからの電波信号を検出すると、ステップＳ１１２で電波信号の着信結果から電話番号を検出する。そして、ステップＳ１１３でＲＡＭ３７の電話番号エリアから電話番号の登録結果を検出し、電話番号の着信結果と登録結果とを比較する。ここで電話番号の着信結果と登録結果とが同一であることを検出したときにはステップＳ１１４へ移行し、中継基地局Ｄに着信許可信号を送信する。この着信許可信号は中継基地局Ｄに電波信号の着信許可を通知するものであり、中継基地局Ｄは着信許可信号を検出したときには携帯電話Ｅに電波信号を送信し、着信が許可されたことを通知する。
【００３３】
ＣＰＵ３５はステップＳ１１３で電話番号の着信結果と登録結果とが相違していることを検出すると、ステップＳ１１５で中継基地局Ｄに着信拒否信号を送信する。この着信拒否信号は中継基地局Ｄに電波信号の着信拒否を通知するものであり、中継基地局Ｄは着信拒否信号を検出したときには携帯電話Ｅに電波信号を送信し、着信が拒否されたことを通知する。即ち、通信制御装置２７が着信許可するのはドアホン制御装置１６を通して登録された電話番号の携帯電話Ｅだけであり、未登録の電話番号の携帯電話Ｅからの着信は全て拒否される。
【００３４】
ＣＰＵ３５はステップＳ１１４で着信を許可すると、ステップＳ１１６でＰＢ信号の有無を判断する。このＰＢ信号は携帯電話Ｅのダイアルスイッチを操作することで中継基地局Ｄから送信されるものであり、ＣＰＵ３５はステップＳ１１６でＰＢ信号を検出したときにはステップＳ１１７へ移行する。ここでＰＢ信号の検出結果がＲＯＭ３６に予め記録された外出信号（例えば１＃）と同一であることを検出したときにはステップＳ１１８へ移行し、ドアホン制御装置１６に外出コマンドを送信する。この外出コマンドはドアホン制御装置１６に外出モードの設定を指令するものであり、ドアホン制御装置１６のＣＰＵ１７は外出コマンドを検出することに基いて外出モードを設定する。
【００３５】
ＣＰＵ３５はステップＳ１１７でＰＢ信号の検出結果が外出信号と相違していることを検出すると、ステップＳ１１９でＰＢ信号の検出結果をＲＯＭ３６に予め記録された在宅信号（例えば２＃）と比較する。ここでＰＢ信号の検出結果が在宅信号と同一であることを検出したときにはステップＳ１２０へ移行し、ドアホン制御装置１６に在宅コマンドを送信する。この在宅コマンドはドアホン制御装置１６に在宅モードの設定を指令するものであり、ドアホン制御装置１６のＣＰＵ１７は在宅コマンドを検出することに基いて在宅モードを設定する。即ち、在宅モードおよび外出モードは携帯電話Ｅを利用して遠隔操作で切換えるものであり、在宅モードおよび外出モードの切換えは登録された携帯電話Ｅのみで可能にされている。
【００３６】
ドアホン制御装置１６のＣＰＵ１７は図１１のステップＳ２６で外出モードが設定されていることを検出すると、ステップＳ２７で通信制御装置２７に警戒音コマンドを送信する。この警戒音コマンドは通信制御装置２７に警戒音の出力を指令するものであり、通信制御装置２７は警戒音コマンドを検出することに基いてＲＯＭ３６から警戒音データを検出する。そして、スピーカ６を警戒音データに基いて駆動し、訪問者に警戒音「何の御用ですか」を発する。即ち、在宅者の不在状態で訪問者が操作ボタン５を操作せずに止まっているときには不審者であると判定され、不審者に立去りが音声で通知される。
【００３７】
ＣＰＵ１７はステップＳ２５でタイマの減算結果が「０」に到達していないことを検出すると、ステップＳ２８で呼出しスイッチ４の操作の有無を判断する。ここで呼出しスイッチ４の操作を検出したときにはステップＳ２９へ移行し、在宅モードおよび外出モードのいずれが設定されているかを判断する。ここで外出モードが設定されていることを検出したときにはステップＳ３０へ移行し、通信制御装置２７に呼出音コマンドを送信する。この呼出音コマンドは通信制御装置２７に呼出音の出力を指令するものであり、通信制御装置２７は呼出音コマンドを検出することに基いてＲＯＭ３６から呼出音データを検出する。そして、スピーカ６を呼出音データに基いて駆動し、訪問者に呼出音「しばらくお待ち下さい」を発する。即ち、在宅者の不在状態で訪問者が到来し、到来から限度時間内に呼出しスイッチ４の操作ボタン５を操作したときには「しばらくお待ち下さい」がアナウンスされ、在宅者の不在がカモフラージュされる。
【００３８】
ＣＰＵ１７はステップＳ２７で警戒音コマンドを送信したり、ステップＳ３０で呼出音コマンドを送信すると、ステップＳ３１で通信制御装置２７にダイアルコマンドを送信する。そして、ステップＳ３２でタイマを「０」にリセットし、ステップＳ３３でドアホンフラグに間接通話処理をセットする。このダイアルコマンドは通信制御装置２７に通話開始を指令するものであり、通信制御装置２７はダイアルコマンドを検出することに基いてＲＡＭ３７の電話番号エリアから電話番号を検出し、電話番号の検出先を呼出す。即ち、在宅者の不在状態で訪問者が呼出しスイッチ４を操作せずに止まっていたときには警戒音の発生に続けて携帯電話Ｅが呼出されるので、携帯電話Ｅの所有者が外出先で物音を確認したり訪問者と対話する間接通話を行うことが可能になる。また、在宅者の不在状態で呼出しスイッチ４が操作されたときには呼出音の発生に続けて携帯電話Ｅが呼出されるので、携帯電話Ｅの所有者が外出先で訪問者と対話する間接通話を行うことが可能になる。
【００３９】
図１６および図１７は通信制御装置２７の間接通話時の処理内容を示すフローチャートであり、通信制御装置２７のＣＰＵ３５はドアホン制御装置１６からのダイアルコマンドを検出すると、タイマに限度時間（例えば１０秒）をセットする。そして、図１６のステップＳ１２１で電話番号の検出先を呼出し、ステップＳ１２２で着信不能信号の有無を判断する。この着信不能信号は携帯電話Ｅに電波が届かない場合に中継基地局Ｄから送信されるものであり、ＣＰＵ３５はステップＳ１２２で着信不能信号を検出したときにはステップＳ１２６でＲＯＭ３６から対応不能音データを検出し、スピーカ６を対応不能音データに基いて駆動することで対応不能音「手が離せないのでお帰り下さい」を発生させる。そして、ステップＳ１２７でドアホン制御装置１６に通話終了コマンドを送信し、ステップＳ１２８で中継基地局Ｄに通話終了信号を送信することで間接通話を終える。
【００４０】
ＣＰＵ３５はステップＳ１２２で着信不能信号がないことを検出すると、ステップＳ１２３で着信信号の有無を判断する。この着信信号は携帯電話Ｅに携帯電話網が繋がることに基いて中継基地局Ｄから送信されるものであり、ＣＰＵ３５はステップＳ１２３で着信信号がないことを検出したときにはステップＳ１２４でタイマを減算することに基いて残り限度時間を更新する。
【００４１】
ＣＰＵ３５はステップＳ１２４でタイマを減算すると、ステップＳ１２５でタイマの減算結果を「０」と比較する。ここでタイマの減算結果が「０」に到達したことを検出したときにはステップＳ１２６で対応不能音「手が離せないのでお帰り下さい」を発生させ、ステップＳ１２７でドアホン制御装置１６に通話終了コマンドを送信し、ステップＳ１２８で中継基地局Ｄに通話終了信号を送信することで間接通話を終える。即ち、外出者が電波の届かない場所に居たり、外出者が携帯電話Ｅの電源を切っていたり、外出者が限度時間内に呼出しに対応しないときには対応不能音が発生し、訪問者に在宅者の不在がカモフラージュされる。
【００４２】
ＣＰＵ３５は限度時間内で着信信号を検出すると、携帯電話ＥからのＰＢ信号の有無を判断する。例えばＰＢ信号を検出したときには図１７のステップＳ１３１へ移行し、ＰＢ信号の検出結果が撮像指令信号（例えば３＃）であるか否かを判断する。ここでＰＢ信号の検出結果が撮像指令信号であることを検出したときにはステップＳ１３２へ移行し、ドアホン制御装置１６にランプコマンドを送信する。そして、ステップＳ１３３でＲＯＭ３６から撮像音データを検出し、スピーカ６を撮像音データに基いて駆動することでカメラの撮像音「ジーカシャ」および対応音「しばらくお待ち下さい」を発生させる。
【００４３】
ＣＰＵ３５はステップＳ１３３で撮像音および対応音を発生させると、ステップＳ１３４でＣＣＤカメラ１０を駆動することに基いて訪問者を１回だけ撮像し、１画面分の画像データを取得する。即ち、外出者が携帯電話Ｅを接続状態で所定操作したときには撮像音の発生に同期して訪問者の撮像が行われ、訪問者に撮像の事実が報知される。
通信制御装置２７のＲＡＭ３７には、図１８に示すように、複数の画像データエリアが設けられている。これら画像データエリアには取得順序「１」〜「Ｍａｘ」が割付けられており、通信制御装置２７のＣＰＵ３５は図１７のステップＳ１３４で画像データを取得すると、ステップＳ１３５で画像データの取得結果を取得順序が最大の空欄の画像データエリアに取得日時と共に格納する。
【００４４】
例えば取得順序「１」〜「３」の画像データエリアに画像データが格納されているときには、図１８に示すように、取得順序が最大の空欄の画像データエリア「４」に画像データの取得結果および取得日時が格納される。これら全ての画像データエリア「１」〜「Ｍａｘ」に画像データが格納されている状態では最古の画像データエリア「１」の画像データおよび取得日時が消去され、画像データエリア「２」〜「Ｍａｘ」の画像データおよび取得日時が１個前の上段の画像データエリア「１」〜「Ｍａｘ」に移される。そして、最終の画像データエリア「Ｍａｘ」が空欄にされ、最終の画像データエリア「Ｍａｘ」に画像データの取得結果および取得日時が格納される。
【００４５】
ＣＰＵ３５は図１７のステップＳ１３１でＰＢ信号の検出結果が撮像指令信号でないことを検出すると、ステップＳ１３６で転送要求信号（例えば４＃）であるか否かを判断する。ここでＰＢ信号の検出結果が転送要求信号であることを検出したときにはステップＳ１３７へ移行し、ＲＡＭ３７の画像データエリアから最新の画像データを検出する。そして、ステップＳ１３８へ移行し、画像データの検出結果を電話番号の検出先に送信する。即ち、外出者が携帯電話Ｅを操作して訪問者を撮像した後に携帯電話Ｅを再操作したときには直前の画像データが携帯電話Ｅに送信されるので、外出者が外出先で訪問者の顔を確認することができる。
【００４６】
ＣＰＵ３５はステップＳ１３６でＰＢ信号の検出結果が転送要求信号でないことを検出すると、ステップＳ１３９で訪問拒否信号（例えば５＃）であるか否かを判断する。ここでＰＢ信号の検出結果が訪問拒否信号（対応指令信号に相当する）であることを検出したときにはステップＳ１４０へ移行し、ＲＯＭ３６から訪問拒否音データを検出する。そして、スピーカ６を訪問拒否音データに基いて駆動することで訪問拒否音「お帰り下さい」を発する。
【００４７】
ＣＰＵ３５はステップＳ１３９でＰＢ信号の検出結果が訪問拒否信号でないことを検出すると、ステップＳ１４１で警告信号（例えば６＃）であるか否かを判断する。ここでＰＢ信号の検出結果が警告信号（対応指令信号に相当する）であることを検出したときにはステップＳ１４２へ移行し、ＲＯＭ３６から警告音データを検出する。そして、スピーカ６を警告音データに基いて駆動することで警告音「警察に通報しますよ」を発する。
【００４８】
ＣＰＵ３５はステップＳ１４１でＰＢ信号の検出結果が警告信号でないことを検出すると、ステップＳ１４３で通話終了信号（例えば００＃）であるか否かを判断する。ここでＰＢ信号の検出結果が通話終了信号であることを検出したときにはステップＳ１４４でドアホン制御装置１６に通話終了コマンドを送信し、ステップＳ１４５で中継基地局Ｄに通話終了信号を送信することで間接通話を終える。即ち、間接通話は外出者が外出先で携帯電話Ｅを操作することで自由に終えることができるものである。
【００４９】
ドアホン制御装置１６のＣＰＵ１７は図１１のステップＳ２６で在宅モードが設定されていることを検出したり、ステップＳ２９で在宅モードが設定されていることを検出すると、ステップＳ３４でチャイム４６を鳴動させる。即ち、在宅者の存在状態で訪問者が呼出しスイッチ４を操作した場合は勿論のこと、訪問者が呼出しスイッチ４を操作せずに止まっていたときにも在宅者に訪問者の到来が直接的に報知される。
【００５０】
ＣＰＵ１７はステップＳ３４でチャイム４６を鳴動させると、ステップＳ３５でリードスイッチ４９およびリードスイッチ５０をオンする。そして、ステップＳ３６でタイマを「０」にリセットし、ステップＳ３７でドアホンフラグを直接通話処理にセットする。即ち、在宅者の存在状態で訪問者が呼出しスイッチ４を操作した場合は勿論のこと、訪問者が呼出しスイッチ４を操作せずに止まっていたときにも室内機５２が対話可能に有効化され、在宅者が室内機５２を介して訪問者と直接通話をすることが可能になる。
４．間接通話処理
ドアホン制御装置１６のＣＰＵ１７はドアホンフラグが間接通話処理にセットされていることを検出すると、図１２のステップＳ４１でランプコマンドの有無を判断する。このランプコマンドは通信制御装置２７が携帯電話Ｅからの撮像指令信号を検出することに基いて送信するものであり、ＣＰＵ１７はステップＳ４１でランプコマンドを検出したときにはステップＳ４２で照度センサ１５からの照度信号を検出し、ステップＳ４３で照度信号の検出結果をＲＯＭ１８に予め記録された基準値と比較する。ここで照度信号の検出結果が基準値より暗いことを判定したときにはステップＳ４４へ移行し、ランプ１３を一定時間だけ点灯する。即ち、ＣＣＤカメラ１０の撮像エリアが照度不足であるときには撮像タイミングに同期して照明され、照度十分であるときには照明されない。
【００５１】
ＣＰＵ１７はステップＳ４５へ移行すると、通話終了コマンドの有無を判断する。この通話終了コマンドは通信制御装置２７が携帯電話Ｅとの回線を遮断することに基いて送信するものであり、ＣＰＵ１７はステップＳ４５で通話終了コマンドを検出したときにはステップＳ４６へ移行し、ドアホンフラグを客待ち処理にリセットする。
５．直接通話処理
ドアホン制御装置１６のＣＰＵ１７はドアホンフラグが直接通話処理にセットされていることを検出すると、図１３のステップＳ５１で通話停止スイッチ５３の操作の有無を判断する。ここで通話停止スイッチ５３の操作を検出したときにはステップＳ５２でリードスイッチ４９およびリードスイッチ５０をオフし、ステップＳ５３でドアホンフラグを客待ち処理にリセットする。即ち、在宅者が室内機５２の有効状態で通話停止スイッチ５３を操作したときにはスピーカ６およびマイクロホン８が無効化され、室内機５２を媒体とする直接通話が終了する。
【００５２】
上記第１実施例によれば次の効果を奏する。
訪問者が操作ボタン５を操作することに基いて携帯電話Ｅを呼出した。このため、外出者が外出先で訪問者と対話することができるので、急用に対応できる上に在宅者の不在を不審者に悟られる虞れがなくなる。しかも、専用の親機が不要になるので、親機と子機との間を配線する手間もなくなる。
【００５３】
訪問者が操作ボタン５を操作することに基いてＣＣＤカメラ１０を遠隔操作可能に有効化し、ＣＣＤカメラ１０が訪問者を撮像したときにはＣＣＤカメラ１０からの画像データを通信制御装置２７のＲＡＭ３７に時系列的順序で格納した。このため、画像データの格納結果を携帯電話Ｅに転送することで外出者が外出先で訪問者の顔を識別することができるので、セキュリティ性が向上する。
【００５４】
携帯電話Ｅから通信制御装置２７に撮像指令信号を送信することに基いてＣＣＤカメラ１０を駆動した。このため、外出者が訪問者の履歴を残したいときだけ撮像を行うことができるので、通信制御装置２７のＲＡＭ３７に不要な画像データが蓄積される無駄がなくなる。
携帯電話Ｅから通信制御装置２７に転送要求信号を送信することに基いて画像データの格納結果を通信制御装置２７から携帯電話Ｅに転送した。このため、外出者が訪問者の顔を確認したいときだけ画像データの送信を行うことができるので、画像データを撮像毎に自動的に転送する場合に比べて送信費用が削減される。
【００５５】
携帯電話Ｅから通信制御装置２７に応対指令信号を送信することに基いてスピーカ６から応対音として訪問拒否音および警告音を発生させたので、外出者が携帯電話Ｅを通して不審な訪問者と対話をする必要がなくなる。
通信制御装置２７の画像データエリアが満杯になったときには最古の画像データを消去して新たな画像データを格納した。このため、画像データエリアのリセット操作を行うことなく新たな画像データを恒久的に格納することができるので、使い勝手が簡単になる。
【００５６】
訪問者が操作ボタン５を操作することなく止まっているときには携帯電話Ｅを自動的に呼出した。このため、外出者に不審者の存在を知らせることができるので、セキュリティ性が向上する。
携帯電話Ｅの電話番号を電話番号入力キー４１によって入力したり、携帯電話Ｅをケーブル接続口４２に接続することで特定端末として登録したので、例えば外出者が携帯電話Ｅを買換えることに応じて電話番号の登録結果を簡単に変更できる。
【００５７】
電話番号入力スイッチ４１をドアホンケース１の後面に装着することに基いて前方から認識不能および操作不能に隠した。このため、電話番号入力スイッチ４１の不正操作に基いて電話番号の登録結果が不正に変えられることがなくなるので、セキュリティ性が向上する。
カード挿入口２３・アンテナ３４・ケーブル接続口４２をドアホンケース１の下面に配置したので、カード挿入口２３内に雨水が侵入すること・アンテナ３４に雨水が付着すること・ケーブル接続口４２内に雨水が浸入する・カード挿入口２３およびケーブル接続口４２を通してドアホンケース１内に雨水が侵入することが防止される。
【００５８】
通信制御装置２７が登録された携帯電話Ｅからの呼出しだけに応答するように構成したので、通信制御装置２７に未登録の携帯電話ＥからＰＢ信号を送信することができなくなる。このため、未登録の携帯電話Ｅを使用して電話番号の登録結果を不正に変えたり、在宅モードおよび外出モードの不正な切換えを行うことができなくなるので、セキュリティ性が向上する。
【００５９】
外出者を携帯電話Ｅを使って呼出す外出モードおよび在宅者をチャイム４６を使って呼出す在宅モード間で動作モードを切換える構成とした。このため、訪問者が操作ボタン５を操作する毎に携帯電話Ｅを呼出す場合に比べて無線電話網の使用頻度が減るので、電話使用料が削減される。
ＣＣＤカメラ１０のカメラレンズ１１に比べて視覚的な認識性が高いダミーレンズ１２を設けた。このため、不審者がダミーレンズ１２を手で塞いだ場合にも不審者を撮像することができるので、セキュリテイ性が向上する。
【００６０】
呼出し端末を電気的および機械的に単一化された電話モジュール２５から構成したので、電話モジュール２５をカード挿入口２３に対して着脱するだけで簡単に交換できる。
電話モジュール２５の抜取り・ドアホンケース１の開放が検出されたときにはスピーカ６を用いて異常報知を行ったので、近隣の居住者に異常の発生を報知することができる。しかも、電話モジュール２５の抜取り・ドアホンケース１の開放が検出されたときには携帯電話Ｅを用いて異常報知を行ったので、外出者に異常の発生を報知することができる。
【００６１】
訪問者の撮像時に撮像音「ジーカシャ」を発生させたので、訪問者に撮像の事実を認識させることができる。
訪問者が在宅者の不在状態で操作ボタン５を操作したときにはスピーカ６から訪問者に呼出音「しばらくお待ち下さい」を発生させたので、特に不審な訪問者に在宅者の不在を悟られることがなくなる。
【００６２】
携帯電話Ｅが通信制御装置２７からの呼出しに応答できないときには対応不能音「手が離せないのでお帰り下さい」を発生させたので、この点からも不審な訪問者に在宅者の不在を悟られることがなくなる。
商用交流電源が遮断されたときには一次電池から駆動電源を供給した。このため、停電中の訪問者にも対応することができるので、停電中に訪問した不審者に在宅者の不在を悟られる怖さもなくなる。
【００６３】
照度が暗いときにはランプ１３を点灯させたので、訪問者を照度に影響されることなく明確に撮像することができる。しかも、ランプ１３をＣＣＤカメラ１０の駆動に同期して点灯させたので、ランプ１３を常時点灯する場合に比べて電気代が削減される。
上記第１実施例においては、携帯端末Ｅから電話モジュール２５に撮像指令信号を送信することで訪問者を撮像する構成としたが、これに限定されるものではなく、例えば呼出しスイッチ４の操作ボタン５が操作されることに連動してドアホン制御装置１６から電話モジュール２５に撮像指令信号を送信し、電話モジュール２５が操作スイッチ４の呼出し操作に連動して自動的に訪問者を撮像する構成としても良い。
【００６４】
上記第１実施例においては、ドアホン制御装置１６がＣＣＤカメラ１０の駆動に同期してランプ１３を一定時間だけ点灯する構成としたが、これに限定されるものではなく、例えば一定間隔の点滅を一定時間だけ行う構成としても良い。
上記第１実施例においては、予備電源として充電不能な一次電池を用いたが、これに限定されるものではなく、例えば充電可能な二次電池を用いたり、コンデンサを用いても良い。
【００６５】
上記第１実施例においては、電話モジュール２５が着信信号の電話番号と予め登録された電話番号とが相違しているときには着信を拒否する構成としたが、これに限定されるものではなく、例えば中継基地局Ｄに電話番号を予め登録しておき、登録されていない電話番号の携帯電話からの送信を中継基地局Ｄで遮断する構成としても良い。
上記第１実施例においては、電話モジュール２５が携帯電話Ｅからの転送要求信号に応じて画像データを携帯電話Ｅに転送する構成としたが、これに限定されるものではなく、例えば電話モジュール２５が訪問者を撮像することに基いて転送要求信号無しで自動的に携帯電話Ｅに転送する構成としても良い。
【００６６】
上記第１実施例においては、電話モジュール２５が携帯電話Ｅからの転送要求信号に応じて最新の画像データを携帯電話Ｅに転送する構成としたが、これに限定されるものではなく、例えば携帯電話Ｅから電話モジュール２５にＰＢ信号を送信することで転送対象となる画像データを選択的に指定する構成としても良い。
上記第１実施例においては、画像データの格納量が上限に到達したときには電話モジュール２５が最古の画像データを自動的に消去して新たな画像データを格納する構成としたが、これに限定されるものではなく、例えば携帯電話Ｅから電話モジュール２５に消去信号を送信することで画像データの格納結果を強制的に消去する構成としても良い。この場合、携帯電話Ｅから電話モジュール２５に必要データを残す指定信号を送信し、指定データ以外の画像データを消去することが好ましい。
【００６７】
上記第１実施例においては、携帯電話Ｅから電話モジュール２５にＰＢ信号を送信することに基いて在宅モードおよび外出モードを遠隔操作で切換える構成としたが、これに限定されるものではなく、例えば切換えスイッチを手動操作することで切換える構成としても良い。この切換えスイッチは訪問者が操作不能な家屋Ａ内に装着したり、訪問者が存在を認識し難いドアホンケース１の下面に装着することが好ましい。
【００６８】
上記第１実施例においては、電話モジュール２５のアンテナ３４をプリントパターンから構成したが、これに限定されるものではなく、棒状に構成しても良い。この場合、アンテナ３４をドアホンケース１の下面に装着することが好ましい。
上記第１実施例においては、ドアホン制御装置１６および通信制御装置２７に機能を分担させたが、これに限定されるものではなく、例えばドアホン制御装置１６を廃止し、全ての機能を通信制御装置２７に分担させる構成としても良い。
【００６９】
上記第１実施例においては、電話モジュール２５が携帯電話Ｅからの撮像指令信号を検出することに基いて１回の撮像動作を行う構成としたが、これに限定されるものではなく、例えば予め設定された時間間隔で複数回の撮像動作を行う構成としても良い。この場合、電話モジュール２５が携帯電話Ｅからの撮像指令信号を受信することに基いて最新の複数の画像データを携帯電話Ｅに転送するように構成することが好ましい。
【図面の簡単な説明】
【００７０】
【図１】本発明の第１実施例を示す図（ａはドアホンケースの設置状態を示す前面図、ｂはＸ線に沿う断面図）
【図２】全体構成を示す図
【図３】ドアホンケースを示す図（ａは前面図、ｂは後面図）
【図４】ドアホンケースの外観を示す斜視図
【図５】ドアホンケースと電話モジュールと携帯電話の外観を示す斜視図
【図６】ドアホン装置の電気的構成を示すブロック図
【図７】電話モジュールの電気的構成を示すブロック図
【図８】ドアホン制御装置の処理内容を示すフローチャート
【図９】ドアホン制御装置の盗難検出処理を示すフローチャート
【図１０】ドアホン制御装置の客待ち処理を示すフローチャート
【図１１】ドアホン制御装置の呼出し処理を示すフローチャート
【図１２】ドアホン制御装置の間接通話処理を示すフローチャート
【図１３】ドアホン制御装置の直接通話処理を示すフローチャート
【図１４】通信制御装置の異常コマンド処理を示すフローチャート
【図１５】通信制御装置のモード切換え処理を示すフローチャート
【図１６】通信制御装置のダイアル処理を示すフローチャート
【図１７】通信制御装置のＰＢ信号処理を示すフローチャート
【図１８】通信制御装置の画像データエリアを示す図
【符号の説明】
【００７１】
Ｅは携帯電話（特定端末）、５は操作ボタン（操作手段）、６はスピーカ、１０はＣＣＤカメラ（撮像手段）、１１はカメラレンズ（撮像用窓部）、１２はダミーレンズ（装飾用窓部）、１７はＣＰＵ（モード選択手段，識別手段）、２２は人感センサ（訪問者検出手段）、２５は電話モジュール（呼出し端末）、３５はＣＰＵ（格納手段，撮像制御手段，音制御手段）、３７はＲＡＭ（記録手段）、３９はカードスイッチ（検出手段）、４１は電話番号入力スイッチ（登録手段）を示している。
【図１】
2005204142.tif 000003
【図２】
2005204142.tif 000004
【図３】
2005204142.tif 000005
【図４】
2005204142.tif 000006
【図５】
2005204142.tif 000007
【図６】
2005204142.tif 000008
【図７】
2005204142.tif 000009
【図８】
2005204142.tif 000010
【図９】
2005204142.tif 000011
【図１０】
2005204142.tif 000012
【図１１】
2005204142.tif 000013
【図１２】
2005204142.tif 000014
【図１３】
2005204142.tif 000015
【図１４】
2005204142.tif 000016
【図１５】
2005204142.tif 000017
【図１６】
2005204142.tif 000018
【図１７】
2005204142.tif 000019
【図１８】
2005204142.tif 000020